(57)【要約】【課題】システムの利用効率をより一層向上させ、インバランス収益を向上させる。【解決手段】一日を複数の時間帯に分割し、時間帯毎に電力の売買取引を行う電力市場を利用し、所定の場所に設置されて電力を蓄えることが可能な蓄電池システムに対し、時間帯毎に充放電計画を割り当てる充放電計画装置であり、各時間帯について時系列的に設定された複数段階の充放電計画段階のうち、所定の条件を満たすまで、充放電計画の割り当てを禁止する時間帯をマスク時間帯として設定するマスク設定部と、各充放電計画段階において、マスク時間帯毎に所定の条件を満たしているか否かを判別する条件判別部と、判別結果に基づいて充放電計画段階において、未だ充放電割当がなされていない時間帯について充放電割当を行う充放電割当部と、を備える。【選択図】図１
2018093652.tif 000002
【特許請求の範囲】
【請求項１】
一日を複数の時間帯に分割し、前記時間帯毎に電力の売買取引を行う電力市場を利用し、所定の場所に設置されて電力を蓄えることが可能な蓄電池システムに対し、前記時間帯毎に充放電計画を割り当てる充放電計画装置であって、
各前記時間帯について時系列的に設定された複数段階の充放電計画段階のうち、所定の条件を満たすまで、前記充放電計画の割り当てを禁止する時間帯をマスク時間帯として設定するマスク設定部と、
各充放電計画段階において、前記マスク時間帯毎に前記所定の条件を満たしているか否かを判別する条件判別部と、
前記判別の結果に基づいて前記充放電計画段階において、未だ充放電割当がなされていない時間帯について充放電割当を行う充放電割当部と、
を備えた充放電計画装置。
【請求項２】
前記充放電計画段階は、第１段階から第ｍ段階（ｍは２以上の整数）設定されており、
前記マスク設定部は、前記充放電計画の割り当てを禁止する第ｎ段階（ｎは、２以上ｍ以下の整数）を指定可能とされている、
請求項１記載の充放電計画装置。
【請求項３】
前記マスク設定部は、前記マスク時間帯について前記充放電計画の割当が禁止される充電容量あるいは放電容量をそれぞれ独立して設定可能とされている、
請求項１又は請求項２記載の充放電計画装置。
【請求項４】
前記充放電割当部は、以前に充放電割当がなされている時間帯であって、当該時間帯に対応する前記電力市場の入札のゲートクローズ後において、前記判別の結果に基づいて、より有利な条件で前記所定の条件を満たす可能性がある時間帯について前記充放電割当を再度行う、
請求項１乃至請求項３のいずれか一項記載の充放電計画装置。
【請求項５】
前記所定の条件は、インバランス精算による収益が所定しきい値以上となるという条件を含む、
請求項１乃至請求項４のいずれか一項記載の充放電計画装置。
【請求項６】
一日を複数の時間帯に分割し、前記時間帯毎に電力の売買取引を行う電力市場を利用し、所定の場所に設置されて電力を蓄えることが可能な蓄電池システムに対し、前記時間帯毎に充放電計画を割り当てる充放電計画装置で実行される方法であって、
各前記時間帯について時系列的に設定された複数段階の充放電計画段階のうち、所定の条件を満たすまで、前記充放電計画の割り当てを禁止する時間帯をマスク時間帯として設定する過程と、
各充放電計画段階において、前記マスク時間帯毎に前記所定の条件を満たしているか否かを判別する過程と、
前記判別の結果に基づいて前記充放電計画段階において、未だ充放電割当がなされていない時間帯について充放電割当を行う過程と、
を備えた方法。
【請求項７】
一日を複数の時間帯に分割し、前記時間帯毎に電力の売買取引を行う電力市場を利用し、所定の場所に設置されて電力を蓄えることが可能な蓄電池システムに対し、前記時間帯毎に充放電計画を割り当てる充放電計画装置をコンピュータにより制御するためのプログラムであって、
前記コンピュータを、
各前記時間帯について時系列的に設定された複数段階の充放電計画段階のうち、所定の条件を満たすまで、前記充放電計画の割り当てを禁止する時間帯をマスク時間帯として設定する手段と、
各充放電計画段階において、前記マスク時間帯毎に前記所定の条件を満たしているか否かを判別する手段と、
前記判別の結果に基づいて前記充放電計画段階において、未だ充放電割当がなされていない時間帯について充放電割当を行う手段と、
して機能させるためのプログラム。
【発明の詳細な説明】
【技術分野】
【０００１】
本発明は、充放電計画装置、方法及びプログラムに関する。
【背景技術】
【０００２】
電力の需要家側に蓄電池システムを設置し、昼間に使用する電力として料金の安い深夜電力を用いて電気料金差を得たり、需要家のピークカット・ピークシフトによる契約電力量を削減したり、小売事業者が遠隔地において蓄電池システムの充放電管理を行い再生可能エネルギーの出力変動や気温変動によって生じる電力の需要と供給（発電）との差（インバランス）を軽減させたりすることが行われている。
【先行技術文献】
【特許文献】
【０００３】
【特許文献１】特開２０１５−１８６３０８号公報
【発明の概要】
【発明が解決しようとする課題】
【０００４】
しかしながら、このような蓄電池システムの利用方法においては、蓄電池に対する充放電回数が一日当たり１〜２回であるため、蓄電池システムの利用効率が悪くシステム設置の初期コストを回収するには非常に長い期間が必要となるという問題点があった。
【０００５】
また、一日を複数の時間帯に分割し、時間帯毎に電力の売買取引を行う電力市場を利用することが行われているが、需要計画と需要実績の差に基づくインバランス精算についても時間帯により支払額が変動するシステムにおいては、より一層正確な需給予想を行うことが要求されることとなっていた。
【０００６】
上記課題を達成するために本発明の実施形態は、システムの利用効率をより一層向上させ、インバランス収益を向上させることが可能な充放電計画装置、方法及びプログラムを提供することを目的としている。
【課題を解決するための手段】
【０００７】
実施形態の充放電計画装置は、一日を複数の時間帯に分割し、時間帯毎に電力の売買取引を行う電力市場を利用し、所定の場所に設置されて電力を蓄えることが可能な蓄電池システムに対し、時間帯毎に充放電計画を割り当てる充放電計画装置である。
実施形態の充放電計画装置は、各時間帯について時系列的に設定された複数段階の充放電計画段階のうち、所定の条件を満たすまで、充放電計画の割り当てを禁止する時間帯をマスク時間帯として設定するマスク設定部と、各充放電計画段階において、マスク時間帯毎に所定の条件を満たしているか否かを判別する条件判別部と、判別結果に基づいて充放電計画段階において、未だ充放電割当がなされていない時間帯について充放電割当を行う充放電割当部と、を備える。
【図面の簡単な説明】
【０００８】
【図１】図１は、実施形態の蓄電池制御システムを含む電力取引システムの概要構成ブロック図である。
【図２】図２は、小売事業者を中心とする発電事業者、系統事業者、電力取引市場及び需要家の間の電力供給経路の説明図である。
【図３】図３は、実施形態の蓄電池システムの概要構成ブロック図である。
【図４】図４は、小売事業者システムの機能構成説明ブロック図である。
【図５】図５は、充放電の実施対象日の前日の午前までの期間であって、実際の放電計画を立てる前に行われる処理の処理フローチャートである。
【図６】図６は、電力取引市場における電力のインバランス予測、電力取引市場価格推測値の一例及び実施形態の充放電計画の説明図である。
【図７】図７は、マスクデータの一例の説明図である。
【図８】図８は、充放電の実施対象日の前日の午前までの期間であって、実際の充放電計画を立てる場合に行われる処理の処理フローチャートである。
【図９】図９は、充放電の実施対象日の前日〜当日の充放電実施時間帯の一時間前までの期間であって、第２次充放電計画を立てる場合に行われる処理の処理フローチャートである。
【図１０】図１０は、充放電の実施対象日の充放電実施時間帯に対応する１時間前市場のゲートクローズ後から当該充放電実施時間帯の開始までの期間であって、第３次充放電計画を立てる場合に行われる処理の処理フローチャートである。
【図１１】図１１は、充放電対象時間帯の経過後の処理フローチャートである。
【図１２】図１２は、実施形態のマスク設定の基本的な説明図である。
【図１３】図１３は、変形例のマスクデータの説明図である。
【図１４】図１４は、実施形態の変形例のマスク設定の基本的な説明図である。
【発明を実施するための形態】
【０００９】
次に図面を参照して実施形態について詳細に説明する。
図１は、実施形態の蓄電池制御システムを含む電力取引システムの概要構成ブロック図である。
電力取引システム１００は、大別すると、発電事業者が運用を行い発電を行う発電事業者システム１１１と、系統事業者が運用を行い商用電力を供給する系統事業者システム１１２と、複数の需要家がそれぞれ運用を行う複数の需要家設備１１３に対応する需要家システム１１４に電力を小売りする小売事業者が運用を行う小売事業者システム１１５と、後述する電力取引市場１２５を運営する電力取引所が運用する電力取引所システム１１６と、を備えている。
【００１０】
上記構成において、需要家システム１１４は、需要家設備１１３と、需要家設備１１３に供給する電力を一時的に蓄えることが可能な蓄電池システム１１７と、を備えている。
ここで、蓄電池システム１１７は、小売事業者により需要家システム１１４側に設置されており、この蓄電池システム１１７の充放電については、小売事業者システム１１５により制御されている。
【００１１】
図２は、小売事業者を中心とする発電事業者、系統事業者、電力取引市場及び需要家の間の電力供給経路の説明図である。
ここで、電力供給経路の説明に先立ち、現在の電力取引市場１２５において行われている主な電力取引の種類について説明する。
【００１２】
発電事業者１２１における発電量の計画と、小売事業者１２３における需要量の計画とが均衡（バランス）することが電力の安定供給のためには必要である。
この場合において、発電事業者１２１は、発電量を計画するとともに、既に契約がなされている発電量（売り先［小売事業者等］が決まっている発電量）を確認し、当該発電事業者における発電コストよりも安い電力が売っていれば電力取引市場１２５において買い取りを行おうとし、当該発電事業者１２１の発電コストよりも高く電力が売れるのであれば、電力取引市場１２５において売却を行おうとすることとなる。
【００１３】
一方、小売事業者１２３は、需要家１２４等の顧客の需要を予測して調達量を設定することとなるが、既に契約がなされている調達量（買い取り先［発電事業者等］が決まっている調達量）を確認し、調達量に不足があれば電力取引市場１２５に対して買い取り（買電）を行おうとし、調達量に余剰があれば電力取引市場１２５に対して売却（売電）を行おうとすることとなる。
【００１４】
このため、発電事業者１２１及び小売事業者１２３は、必要に応じて電力取引市場１２５において入札を行うこととなるので、発電事業者１２１と小売事業者１２３の入札を１日単位で全てまとめて突き合わせを行い、需要供給の関係で価格と量を均衡させる一日前市場（スポット市場）が設けられている。
【００１５】
ところで、実際の需要供給の関係は、固定的なものではなく、発電設備の故障等による電力供給の変動や、気温の変動などによる電力需要の変動などが生じる。
そこで、この需要供給関係の変動を吸収し、調整するための場として、一日を電力の計量単位（毎時０分〜３０分、３０分〜６０分）で分割した４８個の取引時間帯でそれぞれ個別に需要供給の関係で価格と量を均衡させるザラ場取引を行う当日市場（１時間前市場）が設けられている。
【００１６】
次に電力供給経路の説明を行う。
図２に示すように、小売事業者１２３は、発電事業者１２１から電力を調達し、需要家１２４の需要家設備１１３あるいは需要家１２４側に設置した蓄電池システム１１７に電力を供給する。そして小売事業者１２３は、発電事業者１２１からの調達電力に余裕がある場合には、一日前市場または当日市場を利用して電力取引市場１２５に対して電力の売却の入札を行い、売却取引が成立した場合には、電力取引市場１２５を介して買電者に対して電力を売却する。また、小売事業者１２３は、発電事業者１２１からの調達電力に不足がある場合には、一日前市場または当日市場を利用して電力取引市場１２５に対して電力の買い取りの入札を行い、買取取引が成立した場合には、電力取引市場１２５を介して売電者から電力を買い取り、需要家１２４に供給する。
【００１７】
ところで、本実施形態においては、小売事業者１２３は、上述したように需要家１２４に対して蓄電池システム１１７を設置している。
以下、蓄電池システム１１７について説明する。
【００１８】
図３は、実施形態の蓄電池システムの概要構成ブロック図である。
蓄電池システム１１７は、大別すると、電力を蓄える蓄電池装置１１と、蓄電池装置１１から供給された直流電力を所望の電力品質を有する交流電力に変換して需要家設備１１３あるいは小売事業者１２３に供給するとともに、小売事業者１２３を介して供給された交流電力を直流電力に変換して蓄電池装置１１に供給する電力変換装置（ＰＣＳ：Power  Conditioning  System）１２と、を備えている。
【００１９】
蓄電池装置１１は、大別すると、複数の電池盤２１−１〜２１−Ｎ（Ｎは自然数）と、電池盤２１−１〜２１−Ｎが接続された電池端子盤２２と、を備えている。
電池盤２１−１〜２１−Ｎは、互いに並列に接続された複数の電池ユニット２３−１〜２３−Ｍ（Ｍは自然数）と、ゲートウェイ装置２４と、後述のＢＭＵ（Battery  Management  Unit：電池管理装置）及びＣＭＵ（Cell  Monitoring  Unit：セル監視装置）に動作用の直流電源を供給する直流電源装置２５と、を備えている。
【００２０】
ここで、電池ユニット２３−１〜２３−Ｍの構成について説明する。
電池ユニット２３−１〜２３−Ｍは、それぞれ、高電位側電源供給ライン（高電位側電源供給線）ＬＨ及び低電位側電源供給ライン（低電位側電源供給線）ＬＬを介して、出力電源ライン（出力電源線；母線）ＬＨＯ、ＬＬＯに接続され、主回路である電力変換装置１２に電力を供給している。
【００２１】
電池ユニット２３−１〜２３−Ｍは、同一構成であるので、電池ユニット２３−１を例として説明する。
電池ユニット２３−１は、大別すると、複数（図２では、２２個）のセルモジュール３１−１〜３１−２２と、セルモジュール３１−１〜３１−２２にそれぞれ設けられた複数（図１では、２４個）のＣＭＵ３２−１〜３２−２２と、セルモジュール３１−１１とセルモジュール３１−１２との間に設けられたサービスディスコネクト３３と、電流センサ３４と、コンタクタ３５と、を備え、複数のセルモジュール３１−１〜３１−２２、サービスディスコネクト３３、電流センサ３４及びコンタクタ３５は、直列に接続されている。
【００２２】
上記構成において、セルモジュール３１−１〜３１−２２のそれぞれと、対応するＣＭＵ３２−１〜３２−２２と、を合わせた構成については、以下、電池モジュール３７−１〜３７−２２と呼ぶものとする。例えば、セルモジュール３１−１と対応するＣＭＵ３２−１を合わせた構成を電池モジュール３７−１と呼ぶものとする。
【００２３】
ここで、セルモジュール３１−１〜３１−２２は、電池セルが複数、直並列に接続されて組電池を構成している。そして、複数の直列接続されたセルモジュール３１−１〜３１−２２で組電池群を構成している。
【００２４】
上記構成において、セルモジュール３１−１〜３１−２２に用いる電池セルとしては、例えば、リチウムイオン電池が用いられている。
以下、リチウムイオン電池の組成について具体的に説明する。
リチウムイオン電池の第１の態様としては、コバルト、ニッケルおよびマンガンよりなる群から選択される少なくとも一種類の金属元素を含有するリチウム金属化合物を含みリチウム金属化合物はＬｉａＮｉｂＣｏｃＭｎｄＯ２（但し、モル比ａ，ｂ，ｃ及びｄは０≦ａ≦１．１、ｂ＋ｃ＋ｄ＝１）で表される正極活物質含有層を備えた正極と、チタン含有金属複合酸化物を含む負極と、非水溶媒を含む非水電解質とを備えた非水電解質二次電池として構成される。
【００２５】
また、リチウム電池の第２の態様としては、コバルト、ニッケルおよびマンガンよりなる群から選択される少なくとも一種類の金属元素を含有するリチウム金属化合物を含みリチウム金属化合物はＬｉａＮｉｂＣｏｃＭｎｄＯ４（但し、モル比ａ，ｂ，ｃ及びｄは０≦ａ≦１．１、ｂ＋ｃ＋ｄ＝２）で表される正極活物質含有層を備えた正極と、チタン含有金属複合酸化物を含む負極と、非水溶媒を含む非水電解質と、を備えた非水電解質二次電池として構成される。
【００２６】
そして、上記構成のリチウムイオン電池を用いた蓄電池システム１１７によれば、一つの取引単位時間帯に相当する時間内で、ＳＯＣ（State  Of  Charge）＝０％の状態からＳＯＣ＝１００％の状態まで充電が可能であり、あるいは、ＳＯＣ＝１００％の状態からＳＯＣ＝０％の状態まで放電が可能となっている。
【００２７】
以上の説明においては、電池セルとして、リチウムイオン電池の場合について説明したが、一の取引時間帯内で充電計画に対応する充電が可能であるとともに、一の取引時間帯内で放電計画に対応する放電が可能な蓄電池を構成可能な電池セルであれば、同様に適用が可能である。
例えば、蓄電池は、当該蓄電池システム１１７において、一の取引時間帯内で充電計画で設定可能な最大充電量まで充電可能であるとともに、一の取引時間帯内で放電計画で設定可能な最大放電量まで放電可能とされた電池セルを備えていれば、どのような種類の蓄電池を用いることも可能である。
【００２８】
さらに電池ユニット２３−１は、ＢＭＵ３６を備え、ＢＭＵ３６と各ＣＭＵ３２−１〜３２−２２とは、例えば、ＣＡＮ通信規格に則った通信により接続されている。
ＢＭＵ３６は、ゲートウェイ装置２４の制御下で、電池ユニット２３−１全体を制御し、各ＣＭＵ３２−１〜３２−２２との通信結果（後述する電圧データ及び温度データ）及び電流センサ３４の検出結果に基づいてコンタクタ３５の開閉制御を行う。
【００２９】
次に電池端子盤２２の構成について説明する。
電池端子盤２２は、電池盤２１−１〜２１−Ｎに対応させて設けられた複数の盤遮断器４１−１〜４１−Ｎと、蓄電池装置１１全体を制御するマイクロコンピュータとして構成されたマスタ（Master）装置４２と、を備えている。
【００３０】
マスタ装置４２には、電力変換装置１２との間に、電力変換装置１２のＵＰＳ（Uninterruptible  Power  System）１２Ａを介して供給される制御電源線７１と、イーサネット（登録商標）として構成され、制御データのやりとりを行う制御通信線７２と、が接続されている。
【００３１】
次に小売事業者システム１１５の構成について説明する。
図４は、小売事業者システムの機能構成説明ブロック図である。
小売事業者システム１１５は、小売事業者本体システム１１５Ａと、蓄電池充放電制御システム１１５Ｂと、を備えている。
【００３２】
小売事業者本体システム１１５Ａは、各需要家の契約、需要家自身の需要計画、需要履歴等に基づいて配下にある需要家システム１１４全体の電力需要予測を行う需要予測部５１と、需要予測部５１の電力需要予測及び蓄電池システム１１７に対応する後述の最新の充放電計画に従って配下にある需要家システム１１４全体の電力需要計画を作成する需要計画作成部５２と、電源調達量を計算する電源調達量計算部５３と、を備えている。
【００３３】
さらに小売事業者本体システム１１５Ａは、需要計画作成部５２が作成した電力需要計画及び電源調達量計算部５３の計算した電源調達量に基づいて各需要家システム１１４に対する供給計画を作成する供給計画作成部５４と、需要計画作成部５２が作成した電力需要計画及び供給計画作成部５４が作成した供給計画に基づいて需給配分計画を作成し、計画書を電力広域的運営推進機関に提出するとともに、電力取引市場１２５に対して入札を行い、約定結果を取得する需給配分計画作成部５５と、を備えている。
【００３４】
蓄電池充放電制御システム１１５Ｂは、小売事業者本体システム１１５Ａの需給配分計画作成部５５が作成した需給配分計画に基づいて、所定の収益判断結果に基づいて充放電判断を行う充放電判断部６１と、充放電判断部６１の充放電判断結果に基づいて未だ充放電計画が作成されていない次回の取引時間帯に対応する充電計画あるいは放電計画を作成するとともに、最新の充放電計画を小売事業者本体システム１１５Ａの需要計画作成部５２に出力する充放電計画作成部６２と、を備えている。
【００３５】
また、蓄電池充放電制御システム１１５Ｂは、充放電計画作成部６２が作成した充放電計画に基づいて実際の充電指示あるいは放電指示を行うとともに、充電指示あるいは放電時指示に対応する応答を取得し、指示が完了した充電指示あるいは放電指示を、充電あるいは放電の実行前の最新の実施情報として小売事業者本体システム１１５Ａの需要計画作成部５２に出力する充放電指示判断部６３と、を備えている。
【００３６】
さらに蓄電池充放電制御システム１１５Ｂは、充放電指示判断部６３の充放電指示に従って、配下にある需要家システム１１４に属する複数の蓄電池システム１１７（蓄電池群）を制御する蓄電池群制御部６４と、蓄電池システム１１７からＳＯＣ、出力電流、出力電圧などの蓄電池情報を取得する蓄電池情報取得部６５と、蓄電池情報取得部６５が取得した各種蓄電池情報を時系列的に格納（保存）する蓄電池情報データベース（ＤＢ）６６と、充放電計画作成部６２が出力した充放電計画を時系列的に格納（保存）する充放電計画データベース（ＤＢ）６７と、を備えている。
上記構成において、蓄電池群制御部６４あるいは蓄電池情報取得部６５と、蓄電池システム１１７とは、インターネット等の通信ネットワークを介して通信を行っている。
【００３７】
ここで、充放電判断部６１における収益判断について詳細に説明する。
所定の収益判断結果を得るための収益判断対象としては、例えば、スポット市場差し替え、インバランス精算、１時間前市場差し替え、ネガワット（デマンドレスポンス）等の収益に大きな差が生じる可能性がある事象が挙げられる。
【００３８】
また、収益判断を行うタイミングとしては、例えば、スポット市場の取引時間帯、インバランス精算時、当日市場（１時間前市場）の取引時間帯、ネガワット取引時等の収益に大きな差が生じる可能性があるタイミングが挙げられる。
【００３９】
以下の説明において、本実施形態においては、３つ（ｍ＝３）の充放電計画が立てられるものとし、各充放電計画毎に収益判断結果を得るようにしている。
（１）  実際のスポット市場における電力取引の時間帯を含む日（以下、スポット市場充放電対象日という）の前日の所定時刻に充放電計画を提出するスポット市場向けの第１次充放電計画、
（２）  実際の電力取引の時間帯を含む日の前日から当日の当該電力取引の時間帯の１時間前である一時間前市場ゲートクローズ時刻までに充放電計画を提出する１時間前市場向けの第２次放電計画、
（３）  一時間前市場ゲートクローズ時刻から当該電力取引の時間帯の開始時刻までに充放電計画を作成する第３次充放電計画。
【００４０】
上記第１次充放電計画〜第３次充放電計画においては、所定のタイミングで充放電判断部６１は、収益判断を行う。
第１次充放電計画時においては、例えば、以下のタイミングで充放電判断部６１は、収益判断を行うようにしてもよい。
・スポット市場計画差し替え時（優先順位高）
・インバランス精算時
・１時間前市場計画差し替え時
・ネガワット（デマンドレスポンス）時
【００４１】
また、第２次充放電計画時においては、例えば、以下のタイミングで充放電判断部６１は、収益判断を行うようにしてもよい。
・インバランス精算時（優先順位高）
・１時間前市場計画差し替え時（優先順位高）
・ネガワット（デマンドレスポンス）時
【００４２】
また、第３次充放電計画時においては、例えば、以下のタイミングで充放電判断部６１は、収益判断を行うようにしてもよい。
・インバランス精算時（優先順位高）
・ネガワット（デマンドレスポンス）時（優先順位高）
【００４３】
さらに、第１次充放電計画の前段階の第０次充放電計画を行う場合には、例えば、以下のタイミングで充放電判断部６１は、収益判断を行うようにしてもよい。
・スポット市場計画差し替え時
・インバランス精算時
・１時間前市場計画差し替え時
・ネガワット（デマンドレスポンス）時
【００４４】
次に実施形態の具体的な動作について説明する。
以下の説明においては、実際のスポット市場における電力取引の時間帯を含む日（以下、スポット市場充放電対象日という）の前日の所定時刻（例えば、前日９時３０分まで）に充放電計画を提出するスポット市場向けの第１次充放電計画、実際の電力取引の時間帯を含む日の前日から当日の当該電力取引の時間帯の１時間前である一時間前市場ゲートクローズ時刻までに充放電計画を提出する１時間前市場向けの第２次放電計画と、一時間前市場ゲートクローズ時刻から当該電力取引の時間帯の開始時刻までに充放電計画を作成する第３次充放電計画の三つ（ｍ＝３）の充放電計画があるものとして説明を行う。
【００４５】
さらに本実施形態においては、第１次充電計画に先立って充放電計画の確定を抑制するためのマスク取引時間帯を設定する第０時充放電計画が設けられるものとする。
【００４６】
図５は、スポット市場充放電対象日の前日の所定時刻までの期間であって、実際の放電計画を立てる前に行われる処理の処理フローチャートである。
また、図６は、電力取引市場における電力のインバランス予測、電力取引市場価格推測値の一例及び実施形態の充放電計画の説明図である。
【００４７】
図６において、インバランス予測は、取引時間帯毎にそれぞれ棒グラフとして示されており、計画値に対する余剰電力量及び不足電力量をイメージ的に表している。
【００４８】
従って、概要的には、余剰電力量が多い場合には、電力取引市場１２５における価格は、需要供給の法則に従い低下する。一方、不足電力量が多い場合には、電力取引市場１２５における価格は上昇する。
【００４９】
すなわち、電力取引市場価格推測値は、需要予測に基づく、電力取引市場価格を推定したものである。
ところで、事前計画段階においては、電力市場価格の変動がより大きいと推測される時間帯、より具体的には、図６の例の場合、図６（ｃ）に示すように時刻ｔ１１〜時刻ｔ１２で示される取引時間帯にマスクＭＳＫ１を設定し、時刻ｔ１３〜時刻ｔ１４で示される取引時間帯にマスクＭＳＫ２を設定し、時刻ｔ１５〜時刻ｔ６で示される取引時間帯にマスクＭＳＫ３を設定する。
【００５０】
この場合において、マスクＭＳＫ１〜ＭＳＫ３は、時系列的に設定された複数段階の充放電計画段階のうち、所定の条件を満たすまで、充放電計画の割り当てを禁止する時間帯を示すマスク時間帯に相当している。
【００５１】
また、各マスクＭＳＫ１〜ＭＳＫ３には各取引時間帯、かつ、制御種別（充電／放電）により後述のしきい値価格が設定されている。
【００５２】
ここで、マスクＭＳＫ１〜ＭＳＫ３を設定する理由は、実際の取引時間帯に対してより近い時間帯で取引価格を予測する方がより正確に電力取引市場１２５における価格を推測でき、より収益を得ることができる可能性が高いので、取引価格の入札を先送りするためである。
【００５３】
図７は、マスクデータの一例の説明図である。
マスクデータ１３０は、マスク時間帯を特定するための時間帯ＩＤを格納した時間帯ＩＤデータ１３１と、当該時間帯に充電を行うのか、放電を行うのかを特定するための制御モードデータ１３２と、しきい値価格を格納したしきい値価格データ１３３と、を備えている。
ここで、時間帯ＩＤとは、例えば、１日（０：００〜翌日０：００）を３０分毎の４８個の時間帯に区分した場合には、０：００〜０：３０［時間帯ＩＤ＝１］、０：３１〜１：００［時間帯ＩＤ＝２］、…、２３：００〜２３：３０［時間帯ＩＤ＝４７］、２３：３１〜翌日０：００［時間帯ＩＤ＝４８］のように設定されている。
ここで、時間帯ＩＤは、上記例の場合に限らず、適宜設定することが可能であるが、以下の説明においては、上述した３０分毎の４８個の時間帯に区分した場合を例として説明する。
【００５４】
図７の例の場合、時間帯ＩＤ＝２５に相当する時間帯である１２：００〜１２：３０の時間帯は、制御モード＝充電であり、そのしきい値価格は２３円となっている。
同様に時間帯ＩＤ＝２６に相当する時間帯である１２：３０〜１３：００の時間帯は、制御モード＝放電であり、そのしきい値価格は２６円となっている。
なお、制御モードの設定は、一例であり、制御モードを充電あるいは放電のいずれかに設定済みの時間帯に対して、当該時間帯に連続する時間帯に対して、連続して、充電→充電など矛盾が生じないように設定されるものである。
【００５５】
そして、設定された制御種別（制御モード）が充電である場合には、対応する充放電計画段階における電力市場推測価格が充電時のしきい値価格以下であれば充電計画設定を確定する。
また、設定された制御種別（制御モード）が放電である場合には、放電時のしきい値価格以上であれば放電計画設定を確定する。
【００５６】
逆に設定された制御種別（制御モード）が充電であって、対応する充放電計画段階における電力市場推測価格が充電時のしきい値価格超過の場合、あるいは、設定された制御種別（制御モード）が放電であって、放電時のしきい値価格未満の場合は、マスクはそのまま維持される。すなわち、マスクが充放電対象時刻に至った場合には、当該マスクに対応する時間帯は、充電及び放電のいずれも行われることはない。
【００５７】
以上の説明では、マスク処理時間帯を除く時間帯においては、既に制御種別（制御モード）が定まっているものとして、処理の容易のため、マスクデータ１３０に制御モードデータ１３２を含める構成としていた。しかしながら、実際にマスク時間帯の処理を行うマスク処理時に制御モードを充電あるいは放電のいずれかに設定済みの時間帯に対して、当該時間帯に連続する時間帯に対して、連続して、充電→充電などの設定がなされて矛盾が生じないようにするのであれば、制御モードデータ１３２を設けない構成とすることも可能である。
【００５８】
次により詳細に説明する。
［第０次充放電計画］
ここで、再び図５を参照して説明を行うものとする。
図５に示したように、小売事業者システム１１５の小売事業者本体システム１１５Ａの需要予測部５１は、需要家の契約、需要家自身の需要計画、需要履歴等に基づいて配下にある需要家システム１１４全体の電力需要予測を行う。これにより需要計画作成部５２は、需要予測部５１の電力需要予測に従って配下にある需要家システム１１４全体の電力需要計画を作成する（ステップＳ１１）。
【００５９】
この電力需要計画の作成と並行して、電源調達量計算部５３は、電源調達量を計算し、供給計画作成部５４は、需要計画作成部５２が作成した電力需要計画及び電源調達量計算部５３の計算した電源調達量に基づいて各需要家システム１１４に対する供給計画を作成して、相対調達量を確認する（ステップＳ１２）。
【００６０】
ステップＳ１１及びステップＳ１２の処理の結果、需給配分計画作成部５５は、需要計画作成部５２が作成した電力需要計画及び供給計画作成部５４が作成した供給計画に基づいて需給配分計画を作成し、暫定充放電計画を立案する（ステップＳ１３）。
【００６１】
続いて需給配分計画作成部５５は、配分計画を織り込んで（ステップＳ１４）、暫定充放電指示（第０次充放電計画）を作成し、蓄電池充放電制御システム１１５Ｂに送信して通知する（ステップＳ１５）。
【００６２】
この結果、図６（ｃ）に示したように、第０次充放電計画では、時刻ｔ１１〜時刻ｔ１２で示される取引時間帯にマスクＭＳＫ１が設定され、時刻ｔ１３〜時刻ｔ１４で示される取引時間帯にマスクＭＳＫ２が設定され、時刻ｔ１５〜時刻ｔ６で示される取引時間帯にマスクＭＳＫ３が設定され、蓄電池充放電制御システム１１５Ｂに送信して通知されることとなる。
【００６３】
これにより、蓄電池充放電制御システム１１５Ｂは、暫定充放電指示（第０次充放電計画）を受信して記憶する（ステップＳ１６）。
【００６４】
［第１次充放電計画］
図８は、充放電のスポット市場充放電対象日の前日の所定時刻までに、実際の充放電計画を立てる場合に行われる処理の処理フローチャートである。
小売事業者システム１１５の小売事業者本体システム１１５Ａの需要予測部５１は、実際の放電計画を立てる時点における需要家の契約、需要家自身の需要計画、需要履歴等に基づいて、配下にある需要家システム１１４全体の充放電の実施対象日における電力需要予測を行う。これにより需要計画作成部５２は、需要予測部５１の電力需要予測に従って配下にある需要家システム１１４全体の電力需要計画を作成する（ステップＳ２１）。
【００６５】
この電力需要計画の作成と並行して、電源調達量計算部５３は、電源調達量を計算し、供給計画作成部５４は、需要計画作成部５２が作成した電力需要計画及び電源調達量計算部５３の計算した電源調達量に基づいて各需要家システム１１４に対する供給計画を作成して、相対調達量を確認する（ステップＳ２２）。
【００６６】
ステップＳ２１及びステップＳ２２の処理の結果、需給配分計画作成部５５は、需要計画作成部５２が作成した電力需要計画及び供給計画作成部５４が作成した供給計画に基づいて需給配分計画を作成し、第１次充放電計画を立案する（ステップＳ２３）。
続いて需給配分計画作成部５５は、ステップＳ１５で送信した暫定充放電指示において、第１次充放電計画と同じタイミングで判断が必要なマスク時間帯については、ステップＳ１５で送信した暫定充放電指示を確定し、第０次充放電計画とする（ステップＳ２４）。
【００６７】
したがって、需給配分計画作成部５５は、第１次充放電計画と同じタイミングで判断が必要ではないマスク時間帯については、第２次充放電計画以降に確定判断を行い、必要に応じて確定がなされることとなる。
【００６８】
続いて需給配分計画作成部５５は、第１次充放電計画に対応する充放電に関し、スポット市場に入札を行う（ステップＳ２５）。
ここで、スポット市場とは、発電事業者１２１と小売事業者１２３の入札を１日単位で全てまとめて突き合わせを行い、需要供給の関係で価格と量を均衡させるために、電力取引市場に設けられた一日前市場のことである。そして、発電事業者１２１及び小売事業者１２３は、必要に応じて電力取引市場１２５において入札を行うこととなる。
【００６９】
次に需給配分計画作成部５５は、ステップＳ２３で作成した需給配分計画の計画書を電力広域的運営推進機関に提出する（ステップＳ２６）。
この場合において、ステップＳ２３で作成した需給配分計画の計画書の作成後にスポット市場で入札して約定できた充放電計画がある場合には、それらを反映させた後の需給配分計画の計画書を電力広域的運営推進機関に提出することとなる。
さらに需給配分計画作成部５５は、配分計画を織り込んで（ステップＳ２７）、第１次充放電指示（第１次充放電計画）を作成し、蓄電池充放電制御システム１１５Ｂに送信して通知する（ステップＳ２８）。
【００７０】
ここで、第１次充放電計画について、より具体的に説明する。
図６（ｄ）に示すように、マスクＭＳＫ１に対応するマスク時間帯（ｔ１１〜ｔ１２）よりも前の時間帯には、充電計画Ｃ１１および放電計画Ｄ１１が第１次充放電指示（第１次充放電計画）として設定される。
また、マスクＭＳＫ１に対応する時間帯ｔ１１〜ｔ１２は、マスクデータ１３０において対応する時間帯ｔ１１〜ｔ１２のしきい値価格データ１３３に基づく判別の結果、何も行わないこととされたので、そのままの状態となっている。
【００７１】
マスクＭＳＫ１に対応するマスク時間帯（ｔ１１〜ｔ１２）と、マスクＭＳＫ２に対応するマスク時間帯（ｔ１３〜ｔ１４）との間の時間帯には、充電計画Ｃ１２〜Ｃ１４および放電計画Ｄ１２〜Ｄ１４が第１次充放電指示（第１次充放電計画）として設定される。
【００７２】
また、マスクＭＳＫ２に対応する時間帯ｔ１３〜ｔ１４は、マスクデータ１３０において対応する時間帯ｔ１３〜ｔ１４のしきい値価格データ１３３に基づく判別の結果、充電及び放電を行う方が、インバランス収益が高くなると予測されたので、マスクＭＳＫ２は、解除され、充電計画Ｃ１５および放電計画Ｄ１５が第１次充放電指示（第１次充放電計画）として設定される。
【００７３】
マスクＭＳＫ２に対応するマスク時間帯（ｔ１３〜ｔ１４）と、マスクＭＳＫ３に対応するマスク時間帯ｔ１５〜ｔ１６との間の時間帯には、充電計画Ｃ１６および放電計画Ｄ１６が第１次充放電指示（第１次充放電計画）として設定される。
【００７４】
また、マスクＭＳＫ３に対応する時間帯ｔ１５〜ｔ１６は、マスクデータ１３０において対応する時間帯ｔ１５〜ｔ１６のしきい値価格データ１３３に基づく判別の結果、マスクＭＳＫ１の時間帯と同様に何も行わないこととされたので、そのままの状態となっている。
さらにマスクＭＳＫ３に対応するマスク時間帯（ｔ１５〜ｔ１６）以後の時間帯には、充電計画Ｃ１７および放電計画Ｄ１７が第１次充放電指示（第１次充放電計画）として設定される。
【００７５】
以上のように、小売事業者本体システム１１５Ａにより第１次充放電計画が作成され、送信されると、蓄電池充放電制御システム１１５Ｂは、第１次充放電指示（第１次充放電計画）を受信して記憶する（ステップＳ２９）。
【００７６】
続いて需給配分計画作成部５５は、ステップＳ１５で送信した暫定充放電指示において、第１次充放電計画と同じタイミングで判断が必要なマスク時間帯については、ステップＳ１５で送信した暫定充放電指示を確定し、第０次充放電計画として蓄電池充放電制御システム１１５Ｂに送信して通知する（ステップＳ３０）。
【００７７】
したがって、需給配分計画作成部５５は、第１次充放電計画と同じタイミングで判断が必要ではないマスク時間帯については、第２次充放電計画以降に確定判断を行い、必要に応じて確定がなされることとなる。
【００７８】
図６（ｄ）の例の場合には、第０次充放電計画で設定されたマスクＭＳＫ１〜ＭＳＫ３のうち、マスクＭＳＫ１及びマスクＭＳＫ３は未だ有効な部分として残っているので、これを再び暫定充放電指示（第０次充放電計画）として蓄電池充放電制御システム１１５Ｂに送信して通知することとなる。
これにより、蓄電池充放電制御システム１１５Ｂは、新たな暫定充放電指示（第０次充放電計画）を受信して記憶する（ステップＳ３１）。
【００７９】
続いて、蓄電池充放電制御システム１１５Ｂの充放電判断部６１は、蓄電池情報取得部６５を介して蓄電池システム１１７から取得したＳＯＣ、出力電流、出力電圧などの蓄電池情報及び小売事業者本体システム１１５Ａの需給配分計画作成部５５が作成した需給配分計画に基づいて、当日市場（１時間前市場）の取引時間帯毎に充放電判断を行う（ステップＳ３２）。
【００８０】
この結果、充放電計画作成部６２は、充放電判断部６１の充放電判断結果に基づいて未だ充放電計画が作成されていない次回の取引時間帯に対応する第１次充放電計画を作成するとともに、第１次充放電計画を充放電計画情報として充放電指示判断部６３及び小売事業者本体システム１１５Ａの需要計画作成部５２に出力する。
【００８１】
充放電指示判断部６３は、充放電計画作成部６２が作成した第１次充放電計画に対応する実際の充電指示あるいは放電指示である第１次充放電指示を蓄電池群制御部６４を介して蓄電池システム１１７に送信する（ステップＳ３３）。
これにより蓄電池システム１１７は、送信された第１次充放電指示を受信して記憶する（ステップＳ３４）。
【００８２】
続いて充放電指示判断部６３は、充放電計画作成部６２が作成した送信対象の暫定充放電指示（第０次充放電計画）がある場合には、蓄電池群制御部６４を介して蓄電池システム１１７に送信する（ステップＳ３５）。
これにより蓄電池システム１１７は、送信された暫定充放電指示（第０次充放電計画）を受信して記憶する（ステップＳ３６）。
【００８３】
［第２次充放電計画］
図９は、充放電の実施対象日の前日〜当日の充放電実施時間帯の一時間前までの期間であって、第２次充放電計画を立てる場合に行われる処理の処理フローチャートである。
小売事業者システム１１５の小売事業者本体システム１１５Ａの需要予測部５１は、第２次充放電計画を立てる時点における需要家の契約、需要家自身の需要計画、需要履歴等に基づいて、配下にある需要家システム１１４全体の充放電の実施対象日における電力需要予測を行う。これにより需要計画作成部５２は、需要予測部５１の電力需要予測に従って配下にある需要家システム１１４全体の電力需要計画を作成する（ステップＳ４１）。
【００８４】
この電力需要計画の作成と並行して、電源調達量計算部５３は、電源調達量を計算し、供給計画作成部５４は、需要計画作成部５２が作成した電力需要計画及び電源調達量計算部５３の計算した電源調達量に基づいて各需要家システム１１４に対する供給計画を作成して、相対調達量を確認する（ステップＳ４２）。
【００８５】
ステップＳ４１及びステップＳ４２の処理の結果、需給配分計画作成部５５は、需要計画作成部５２が作成した電力需要計画及び供給計画作成部５４が作成した供給計画に基づいて需給配分計画を作成し、第２次充放電計画を立案する（ステップＳ４３）。
続いて需給配分計画作成部５５は、ステップＳ１５で送信した暫定充放電指示において、第２次充放電計画と同じタイミングで判断が必要なマスク時間帯については、ステップＳ１５で送信した暫定充放電指示を確定し、第０次充放電計画とする（ステップＳ４４）。
【００８６】
したがって、需給配分計画作成部５５は、第２次充放電計画と同じタイミングで判断が必要ではないマスク時間帯については、第３次充放電計画以降に確定判断を行い、必要に応じて確定がなされることとなる。
【００８７】
続いて需給配分計画作成部５５は、第２次充放電計画に対応する充放電に関し、１時間前市場（当日市場）に入札を行う（ステップＳ４５）。
ここで、１時間前市場（当日市場）について説明する。
実際の電力の需要供給の関係は、固定的なものではなく、発電設備の故障等による電力供給の変動や、気温の変動などによる電力需要の変動などが生じる。
そこで、この需要供給関係の変動を吸収し、調整するための場として、一日を電力の計量単位（毎時０分〜３０分、３０分〜６０分）で分割した４８個の取引時間帯でそれぞれ個別に需要供給の関係で価格と量を均衡させるザラ場取引を行う１時間前市場（当日市場）が設けられている。
【００８８】
小売事業者１２３は、発電事業者１２１から電力を調達し、需要家１２４の需要家設備１１３あるいは需要家１２４側に設置した蓄電池システム１１７に電力を供給する。そして小売事業者１２３は、発電事業者１２１からの調達電力に余裕がある場合には、一日前市場または１時間前市場（当日市場）を利用して電力取引市場１２５に対して電力の売却の入札を行い、売却取引が成立した場合には、電力取引市場１２５を介して買電者に対して電力を売却する。また、小売事業者１２３は、発電事業者１２１からの調達電力に不足がある場合には、一日前市場または１時間前市場（当日市場）を利用して電力取引市場１２５に対して電力の買い取りの入札を行い、買取取引が成立した場合には、電力取引市場１２５を介して売電者から電力を買い取り、需要家１２４に供給する。
【００８９】
次に需給配分計画作成部５５は、ステップＳ４３で作成した需給配分計画の計画書を電力広域的運営推進機関に提出する（ステップＳ４６）。
さらに需給配分計画作成部５５は、配分計画を織り込んで（ステップ４７）、第２次充放電指示（第２次充放電計画）を作成し、蓄電池充放電制御システム１１５Ｂに送信して通知する（ステップＳ４８）。
【００９０】
ここで、第２次充放電計画について、より具体的に説明する。
図６（ｅ）に示すように、マスクＭＳＫ１に対応するマスク時間帯（ｔ１１〜ｔ１２）よりも前の時間帯は、第１次充放電計画に変更はないので、充電計画Ｃ１１および放電計画Ｄ１１が第２次充放電指示（第２次充放電計画）としてそのまま設定される。
また、マスクＭＳＫ１に対応する時間帯ｔ１１〜ｔ１２は、マスクデータ１３０において対応する時間帯ｔ１１〜ｔ１２のしきい値価格データ１３３に基づく判別の結果、何も行わないこととされたので、第２次充放電計画においても、再びそのままの状態となっている。
【００９１】
マスクＭＳＫ１に対応するマスク時間帯（ｔ１１〜ｔ１２）と、マスクＭＳＫ３に対応するマスク時間帯（ｔ１５〜ｔ１６）との間の時間帯には、第１充放電計画として設定された充電計画Ｃ１２〜Ｃ１４および放電計画Ｄ１２〜Ｄ１４に加えて、放電計画Ｄ２１及び充電計画Ｃ２１が第２次充放電指示（第２次充放電計画）として設定される。
【００９２】
また、マスクＭＳＫ３に対応する時間帯ｔ１５〜ｔ１６は、マスクデータ１３０において対応する時間帯ｔ１５〜ｔ１６のしきい値価格データ１３３に基づく判別の結果、充電及び放電を行う方が、インバランス精算による収益が高くなると予測されたので、マスクＭＳＫ３は、解除され、充電計画Ｃ２２および放電計画Ｄ２２が第２次充放電指示（第２次充放電計画）として新たに設定される。
さらにマスクＭＳＫ３に対応するマスク時間帯（ｔ１５〜ｔ１６）以後の時間帯は、第１次充放電計画において設定された充電計画Ｃ１７および放電計画Ｄ１７がそのまま第２次充放電指示（第２次充放電計画）として設定される。
【００９３】
以上のように、小売事業者本体システム１１５Ａにより第２次充放電計画が作成され、送信されると、蓄電池充放電制御システム１１５Ｂは、第２次充放電指示（第２次充放電計画）を受信して記憶する（ステップＳ４９）。
【００９４】
続いて需給配分計画作成部５５は、ステップＳ１５で送信した暫定充放電指示において、第２次充放電計画と同じタイミングで判断が必要なマスク時間帯については、ステップＳ１５で送信した暫定充放電指示を確定し、第０次充放電計画とする（ステップＳ５０）。
したがって、需給配分計画作成部５５は、第２次充放電計画と同じタイミングで判断が必要ではないマスク時間帯、すなわち、未だマスクとして有効なマスク時間帯については、第２次充放電計画以降に確定判断を行い、必要に応じて確定がなされることとなる。
【００９５】
図６（ｅ）の例の場合には、第０次充放電計画で設定されたマスクＭＳＫ１〜ＭＳＫ３のうち、マスクＭＳＫ１は未だ有効な部分として残っているので、これを再び暫定充放電指示（第０次充放電計画）として蓄電池充放電制御システム１１５Ｂに送信して通知することとなる。
【００９６】
これにより、蓄電池充放電制御システム１１５Ｂは、新たな暫定充放電指示（第０次充放電計画）を受信して記憶する（ステップＳ５１）。
【００９７】
続いて、蓄電池充放電制御システム１１５Ｂの充放電判断部６１は、蓄電池情報取得部６５を介して蓄電池システム１１７から取得したＳＯＣ、出力電流、出力電圧などの蓄電池情報及び小売事業者本体システム１１５Ａの需給配分計画作成部５５が作成した需給配分計画に基づいて、当日市場（１時間前市場）の取引時間帯毎に充放電判断を行う（ステップＳ５２）。
【００９８】
この結果、充放電計画作成部６２は、充放電判断部６１の充放電判断結果に基づいて未だ充放電計画が作成されていない次回の取引時間帯に対応する第２次充放電計画を作成するとともに、第２次充放電計画を充放電計画情報として充放電指示判断部６３及び小売事業者本体システム１１５Ａの需要計画作成部５２に出力する。
【００９９】
充放電指示判断部６３は、充放電計画作成部６２が作成した第２次充放電計画に対応する実際の充電指示あるいは放電指示である第２次充放電指示を蓄電池群制御部６４を介して蓄電池システム１１７に送信する（ステップＳ５３）。
これにより蓄電池システム１１７は、送信された第２次充放電指示を受信して記憶する（ステップＳ５４）。
【０１００】
続いて充放電指示判断部６３は、充放電計画作成部６２が作成した送信対象の暫定充放電指示（第０次充放電計画）がある場合には、蓄電池群制御部６４を介して蓄電池システム１１７に送信する（ステップＳ５５）。
これにより蓄電池システム１１７は、送信された暫定充放電指示（第０次充放電計画）を受信して記憶する（ステップＳ５６）。
【０１０１】
［第３次充放電計画］
図１０は、充放電の実施対象日の充放電実施時間帯に対応する１時間前市場のゲートクローズ後から当該充放電実施時間帯の開始までの期間であって、第３次充放電計画を立てる場合に行われる処理の処理フローチャートである。
小売事業者システム１１５の小売事業者本体システム１１５Ａの需要予測部５１は、第３次充放電計画を立てる時点における需要家の契約、需要家自身の需要計画、需要履歴等に基づいて、配下にある需要家システム１１４全体の充放電の実施対象日における当該時点で実際に充放電が既になされた時間帯以外の全ての時間帯について電力需要予測を行う。これにより需要計画作成部は、需要予測部５１の電力需要予測に従って配下にある需要家システム１１４全体の当該時点で実際に充放電が既になされた時間帯以外の全ての時間帯についての電力需要計画を（再）作成する（ステップＳ６１）。
【０１０２】
この電力需要計画の作成と並行して、電源調達量計算部５３は、電源調達量を計算し、供給計画作成部５４は、需要計画作成部５２が作成した電力需要計画及び電源調達量計算部５３の計算した電源調達量に基づいて各需要家システム１１４に対する供給計画を作成して、相対調達量を確認する（ステップＳ６２）。
【０１０３】
ステップＳ６１及びステップＳ６２の処理の結果、需給配分計画作成部５５は、需要計画作成部５２が作成した電力需要計画及び供給計画作成部５４が作成した供給計画に基づいて需給配分計画を作成し、第３次充放電計画を立案する（ステップＳ６３）。
【０１０４】
ここで、第３次充放電計画について、より具体的に説明する。
図６（ｆ）に示すように、マスクＭＳＫ１に対応するマスク時間帯（ｔ１１〜ｔ１２）よりも前の時間帯は、第１次充放電計画に変更はないので、充電計画Ｃ１１および放電計画Ｄ１１が第３次充放電指示（第３次充放電計画）としてそのまま設定される。
【０１０５】
また、マスクＭＳＫ１に対応する時間帯ｔ１１〜ｔ１２は、マスクデータ１３０において対応する時間帯ｔ１１〜ｔ１２のしきい値価格データ１３３に基づく判別の結果、何も行わないこととされたので、第３次充放電計画においても、再びそのままの状態となっている。
【０１０６】
マスクＭＳＫ１に対応するマスク時間帯（ｔ１１〜ｔ１２）以降の時間帯においては、新たに充放電計画を立てるに際しては、既に計画を提出している充電計画Ｃ１２〜Ｃ１３、放電計画Ｄ１２〜Ｄ１３について再検討した結果、放電計画Ｄ３１〜Ｄ３２および充電計画Ｃ３１〜Ｃ３２に変更した方が、インバランス精算による収益が高くなると予測されたので、これらの変更を含めた第３次充放電指示（第３次充放電計画）として新たに設定される。
【０１０７】
さらに需給配分計画作成部５５は、配分計画を織り込んで（ステップ６４）、第３次充放電指示（第３次充放電計画）を作成し、蓄電池充放電制御システム１１５Ｂに送信して通知する（ステップＳ６５）。
【０１０８】
これにより、蓄電池充放電制御システム１１５Ｂは、第３次充放電指示（第３次充放電計画）を受信して記憶する（ステップＳ６６）。
【０１０９】
続いて、蓄電池充放電制御システム１１５Ｂの充放電判断部６１は、蓄電池情報取得部６５を介して蓄電池システム１１７から取得したＳＯＣ、出力電流、出力電圧などの蓄電池情報及び小売事業者本体システム１１５Ａの需給配分計画作成部５５が作成した需給配分計画に基づいて、当該時点で実際に充放電が既になされた時間帯以外の全ての時間帯のそれぞれについて充放電判断を行う（ステップＳ６７）。
【０１１０】
この結果、充放電計画作成部６２は、充放電判断部６１の充放電判断結果に基づいて当該時点で実際に充放電が既になされた時間帯以外の全ての時間帯に対応する第３次充放電計画を作成するとともに、第３次充放電計画を充放電計画情報として充放電指示判断部６３及び小売事業者本体システム１１５Ａの需要計画作成部５２に出力する。
【０１１１】
充放電指示判断部６３は、充放電計画作成部６２が作成した第３次充放電計画に対応する実際の充電指示あるいは放電指示である第３次充放電指示を蓄電池群制御部６４を介して蓄電池システム１１７に送信する（ステップＳ６８）。
これにより蓄電池システム１１７は、送信された第３次充放電指示を受信して記憶する（ステップＳ６９）。
【０１１２】
図１１は、充放電対象時間帯の経過後の処理フローチャートである。
小売事業者本体システム１１５Ａは、充放電対象時間帯が経過すると、暫定的に充放電効果実績を精算する（ステップＳ７１）。
そして、実際の充放電処理から所定の時間の経過後（現状では、およそ２ヶ月後）、インバランス精算結果を受信すると（ステップＳ７２）、充放電効果実績を精算し確定する（ステップＳ７３）。
【０１１３】
以上の説明のように、本実施形態によれば、電力取引システム１００において、充放電計画と充放電実績とが一致せず、不足インバランスあるいは過剰インバランスが発生することにより市場価格に連動したインバランス料金が発生する場合でも、より需要予測精度が高くなる時間帯で充放電計画をより好適な充放電計画へと修正できる。
【０１１４】
したがって、小売事業者１２３等が自己のシステムの運用を行うに際してより精度の高い充放電制御が行なえ、不足インバランス及び過剰インバランスを相殺して、より一層の収益性を向上させることが可能となる。
【０１１５】
ここで、実施形態の変形例について説明する。
まず、以上の説明で用いていたマスクと充電計画及び放電計画について説明する。
図１２は、実施形態のマスク設定の基本的な説明図である。
以上の説明においては、図７に示したようなマスクデータ１３０を用いていたため、マスクＭＳＫの設定を行う場合には、充電計画においては、充電量（充電可能容量）を１００％マスクし、放電計画においては、放電量（放電可能容量）を１００％マスクするものとなっていた。
【０１１６】
図１３は、変形例のマスクデータの説明図である。
図１３において、図７と同様の部分には、同一の符号を付すものとする。
マスクデータ１４０は、マスク時間帯を特定するための時間帯ＩＤを格納した時間帯ＩＤデータ１３１と、当該時間帯に充電を行うのか、放電を行うのかを特定するための制御モードデータ１３２と、しきい値価格を格納したしきい値価格データ１３３と、マスク対象の充電容量あるいは放電容量を制限するためのマスクレベルデータ１４１と、を備えている。
【０１１７】
図１４は、実施形態の変形例のマスク設定の基本的な説明図である。
図１４に示すように、図１３に示したマスクデータ１４０のマスクレベルデータ１４１を用いることにより、マスクＭＳＫＸの設定を行う場合には、充電計画においては、充電量（充電可能容量）のうち任意の容量（図１４の例では、８０％）をマスクし、放電計画においても、放電量（放電可能容量）のうち任意の容量（図１５の例では、５０％）をマスクすることができ、所望の容量をインバランス収益を考慮した運用に用いることができ、より一層システムを柔軟に運営することができる。
【０１１８】
以上の説明においては、小売事業者１２３が運用する小売事業者システム１１５が、小売事業者本体システム１１５Ａと、蓄電池充放電制御システム１１５Ｂと、を備えている構成を採っていたが、蓄電池充放電制御システム１１５Ｂを独立させてアグリゲータ事業者が運用するアグリゲータシステムとして機能するように構成することも可能である。
【０１１９】
本実施形態の充放電計画装置は、ＭＰＵなどの制御装置と、ＲＯＭ（Read  Only  Memory）やＲＡＭなどの記憶装置等を備えた通常のコンピュータを利用したハードウェア構成となっている。
【０１２０】
本実施形態の充放電計画装置（具体的には、蓄電池充放電制御システム１１５Ｂ）で実行されるプログラムは、インストール可能な形式又は実行可能な形式のファイルでＣＤ−ＲＯＭ、フレキシブルディスク（FD）、ＣＤ−Ｒ、ＤＶＤ（Digital  Versatile  Disk）等のコンピュータで読み取り可能な記録媒体に記録されて提供されるようにしてもよい。
【０１２１】
また、本実施形態の充放電計画装置で実行されるプログラムを、インターネット等のネットワークに接続されたコンピュータ上に格納し、ネットワーク経由でダウンロードさせることにより提供するように構成しても良い。また、本実施形態の蓄電池制御システムで実行されるプログラムをインターネット等のネットワーク経由で提供または配布するように構成しても良い。
【０１２２】
また、本実施形態の充放電計画装置のプログラムを、ＲＯＭ等に予め組み込んで提供するように構成してもよい。
【０１２３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１２４】
１１    蓄電池装置
１２    電力変換装置
２１    電池盤
２２    電池端子盤
２３    電池ユニット
２４    ゲートウェイ装置
２５    直流電源装置
３１−１〜３１−２２    セルモジュール
３２−１〜３２−２２  ＣＭＵ
３３    サービスディスコネクト
３４    電流センサ
３５    コンタクタ
３６    ＢＭＵ
３７    電池モジュール
４１    盤遮断器
４２    マスタ装置
５１    需要予測部
５２    需要計画作成部
５３    電源調達量計算部
５４    供給計画作成部
５５    需給配分計画作成部
６１    充放電判断部
６２    充放電計画作成部
６３    充放電指示判断部
６４    蓄電池群制御部
６５    蓄電池情報取得部
７１    制御電源線
７２    制御通信線
１００  電力取引システム
１１１  発電事業者システム
１１２  系統事業者システム
１１３  需要家設備
１１４  需要家システム
１１５  小売事業者システム
１１５Ａ  小売事業者本体システム
１１５Ｂ  蓄電池充放電制御システム
１１６  電力取引所システム
１１７  蓄電池システム
１２１  発電事業者
１２３  小売事業者
１２４  需要家
１２５  電力取引市場
１３０  マスクデータ
１３１  時間帯ＩＤデータ
１３２  制御モードデータ
１３３  しきい値価格データ
１４０  マスクデータ
１４１  マスクレベルデータ
ＭＳＫ、ＭＳＫ１、ＭＳＫ２、ＭＳＫＸ  マスク
【図１】
2018093652.tif 000003
【図２】
2018093652.tif 000004
【図３】
2018093652.tif 000005
【図４】
2018093652.tif 000006
【図５】
2018093652.tif 000007
【図６】
2018093652.tif 000008
【図７】
2018093652.tif 000009
【図８】
2018093652.tif 000010
【図９】
2018093652.tif 000011
【図１０】
2018093652.tif 000012
【図１１】
2018093652.tif 000013
【図１２】
2018093652.tif 000014
【図１３】
2018093652.tif 000015
【図１４】
2018093652.tif 000016